(57)【要約】【課題】専用のカメラマンの派遣を必要とせずに、葬儀写真アルバムを安価に作成し得るシステムを提供する。【解決手段】葬祭場に設置された写真画像取得装置５により、葬儀参列者から提供された写真プリント若しくは第１の記憶媒体又は当該葬祭場に設置されたカメラに付属の第２の記憶媒体から写真画像データを取得し、通信回線６を介して写真館に設置された写真アルバム作成装置７に送信する。写真アルバム作成装置７では、受信した写真画像データが編集され写真アルバムの見本又は正式な写真アルバムが作成すされる。【選択図】図１
2007334482.tif 000002
【特許請求の範囲】
【請求項１】
葬祭場に設置され、葬儀参列者から提供された写真プリント若しくは第１の記憶媒体又は当該葬祭場で撮像するカメラに付属の第２の記憶媒体から写真画像データを取得し、当該取得した写真画像データを送信する送信手段を有する写真画像取得装置と、
写真館に設置され、前記送信手段から通信回線を介して送信された写真画像データを受信する受信手段と、当該受信した写真画像データを編集して写真アルバムの見本又は正式な写真アルバムを作成する写真アルバム作成装置と、
を備えたことを特徴とする写真アルバム作成システム。
【請求項２】
前記写真画像取得装置は、前記第１の記憶媒体又は第２の記憶媒体から写真画像データを読取る画像データ読取り手段と、前記写真プリントから光学的に画像を読取って写真画像データを出力するスキャナ手段とを含むことを特徴とする請求項１に記載の写真アルバム作成システム。
【請求項３】
前記画像データ読取り手段は、前記第１の記憶媒体から写真画像データを読取る第１の画像データ読取り手段と、前記第２の記憶媒体から写真画像データを読取る第２の画像データ読取り手段と、を含むことを特徴とする請求項２に記載の写真アルバム作成システム。
【請求項４】
前記前記第１の記憶媒体又は第２の記憶媒体は、メモリーカードであることを特徴とする請求項１、２又は３の何れか一項に記載の写真アルバム作成システム。
【発明の詳細な説明】
【技術分野】
【０００１】
本発明は、写真アルバム作成システムに係り、特に葬儀写真アルバムの作成に好適な写真アルバム作成システムに関する。
【背景技術】
【０００２】
一般に、多数の参加者が参加して開催される各種イベントや行事では、その場の情景や雰囲気を記録しておくために記念写真がとられる。このような記念撮影に際しては、写真館（ラボ）から専用カメラマンを会場等に派遣するのがこれまでの一般的な手法であった（例えば、特許文献１、２参照）。
【０００３】
一方、葬儀に係る写真アルバムを作成する場合、遺族や友人等の参列者から提供された写真プリントや、ＤＳＣ（ディジタルスチルカメラ）に内蔵されたカードメモリを一旦写真館に提供し、その写真館で画像の編集やトリミングの工程を経て写真アルバムを作成し、後日遺族や参列者に配送することが行なわれる。
【０００４】
しかし、遺族や友人等の参列者から提供された写真や画像データは遺影に係るものであり、葬儀自体の情景を表現するものではない。また、葬儀の場合は事柄の性格上、遺族や参列者が葬儀中にカメラ撮影を行なう余裕はない。従って、多くの場合、専門のカメラマンが必要となる。
【特許文献１】特開２００４−３３３７１９号公報
【特許文献２】特開２００４−２８７１２２号公報
【発明の開示】
【発明が解決しようとする課題】
【０００５】
しかしながら、専門のカメラマンに支払う費用は写真アルバムの作成コストに反映せざるを得ず、コスト高になる。
本発明は、上記課題に鑑みて創案されたものであり、その目的とするところは専用のカメラマンの派遣を必要とせずに、葬儀写真アルバムを安価に作成し得るシステムを提供することにある。
【課題を解決するための手段】
【０００６】
上記課題を解決するために、本発明は、葬祭場に設置され、葬儀参列者から提供された写真プリント若しくは第１の記憶媒体又は当該葬祭場で撮像するカメラに付属の第２の記憶媒体から写真画像データを取得し、当該取得した写真画像データを送信する送信手段を有する写真画像取得装置と、真館に設置され、前記送信手段から通信回線を介して送信された写真画像データを受信する受信手段と、当該受信した写真画像データを編集して写真アルバムの見本又は正式な写真アルバムを作成する写真アルバム作成装置とを備えたことを特徴とする。
【０００７】
また、本発明は、請求項前記写真画像取得装置が前記第１の記憶媒体又は第２の記憶媒体から写真画像データを読取る画像データ読取り手段と、前記写真プリントから光学的に画像を読取って写真画像データを出力するスキャナ手段とを含むことを特徴とする。
また、本発明は、前記画像データ読取り手段が前記第１の記憶媒体から写真画像データを読取る第１の画像データ読取り手段と、前記第２の記憶媒体から写真画像データを読取る第２の画像データ読取り手段と、を含むことを特徴とする。
また、本発明は、第１の記憶媒体又は第２の記憶媒体がメモリーカードであることを特徴とする。
【発明の効果】
【０００８】
本発明によれば、専用カメラマンの派遣を必要とせずに、葬儀写真アルバムを安価に作成し得る。
【発明を実施するための最良の形態】
【０００９】
以下、本発明を実施するための最良の形態について詳述する。
<写真アルバム作成システムの構成>
図１に、写真アルバム作成システムの構成を示す。
写真アルバム作成システムは、画像取得装置５と、この画像取得装置５と通信回線６を介して接続された写真アルバム作成装置７とを備える。
画像取得装置５で取得された画像データは通信回線６を介して写真アルバム作成装置７に送信される。写真アルバム作成装置７は、受信した画像データをもとに見本アルバム８や正本アルバム９を作成する。
【００１０】
<写真画像取得装置５>
図２に写真画像取得装置５の構成を示す。
画像取得装置５は、複数の葬祭場１００−１〜１００−nのそれぞれに設置され、各葬祭場１００−１〜１００−nにおいて葬儀に関連する画像データを取得する。
画像取得装置５は、遺族又は参列者が持参した写真プリント１から写真画像データを光学的に読取るスキャナ１０と、遺族又は参列者が過去にディジタルカメラで撮影した際のカードメモリ等の記憶メディア（第１記録メディア）２から画像データを読取る第１メディアI／F１１‐１と、各葬祭場１００−１〜１００−nの職員が葬儀中に撮影した貸与カメラ（ＤＳＣ）３のカードメモリ等の記憶メディア（第２記憶メディア）４から画像データを読取る第２メディアI／F１１‐２と、各種情報を入力するための入力キーボード１２と、必要な情報を表示するためのディスプレイ１３と、画像取得装置５の制御動作を規定するプログラムが圧縮状態で格納されたＲＯＭ１７と、このＲＯＭ１７に格納されたプログラムを展開するワークメモリとしてのＲＡＭ１６と、このＲＡＭ１６に記憶された動作プログラムと協働して画像取得装置５全体を統括的に制御するＣＰＵ１５と、スキャナ１０、第１メディアＩ／Ｆ１１‐１、第２メディアＩ／Ｆ１１‐２を介して取得された画像データ２９を保存する記憶手段であるＨＤＤ（ハードディスク装置）１８と、画像取得装置５を通信回線６に接続し、写真画像の保存データ２９を写真アルバム作成装置７に送信するための通信Ｉ／Ｆ１９と、を備えている。これらの各手段はシステムバス１４に接続されている。
【００１１】
画像取得装置５は、例えば、いわゆるパソコンを用いて構成することができる。すなわち、汎用パソコンのＨＤＤに後述する動作（図４参照）を規定する画像取得用アプリケーションソフトウエアを格納し、そのアプリケーションソフトウエアをＲＡＭに展開し、この展開されたアプリケーションソフトウエアをパソコンのＣＰＵで実行するように構成することで画像取得装置５を実現することができる。
【００１２】
なお、遺族又は参列者の記憶メディア用としての第１メディアI／F１１‐１と葬祭場職員用の第２メディアＩ／Ｆ１１‐２とをそれぞれ個別に設けた理由は、第１記憶メディア２と第２記憶メディア４との取り扱い上の混乱を防止するためである。すなわち、後述するように、第１記憶メディア２は遺族等に返却する必要があり、一方第２記憶メディア４は葬祭場１００−１等の職員に返却する前に第２記憶メディア４内の記録画像データを消去することが行われるため、遺族の第１記憶メディア２内の記録データを誤って消去することを避けなければならないからである。
また、入力キーボード１２とともに入力手段であるマウス用のポインティングデバイスを用いることができる。
また、葬祭場職員用の第２メディアＩ／Ｆ１１‐２は、カメラ３が無線送信機能を有するものである場合、無線ＬＡＮの通信Ｉ／Ｆやカメラ３からの微弱電波受信用のＩ／Ｆとしてカメラ３で撮影された写真の画像データを無線で送信する構成とすることができる。
通信回線６は専用回線或いはインターネット等の公衆回線を用いることができる。
【００１３】
<写真アルバム作成装置７>
図３に写真アルバム作成装置の構成を示す。
写真アルバム作成装置７は、写真アルバム作成装置７を通信回線６に接続し、画像取得装置５から送信される画像データを受信するための通信Ｉ／Ｆ２０と、受信した画像データの処理、編集又はトリミング等の各種情報を入力するための入力キーボード２１と、同じく受信した画像データの処理、編集又はトリミング等の各種情報を入力するためのポインティングデバイス２２と、必要な情報を表示するためのディスプレイ２３と、見本アルバム８又は正本アルバム９を作成するためのカラー印刷装置２４と、写真アルバム作成装置７の制御動作を規定するプログラムが圧縮状態で格納された２７と、この２７に格納されたプログラムを展開するワークメモリとしてのＲＡＭ２６と、このＲＡＭ２６に記憶された動作プログラムと協働して写真アルバム作成装置７全体を統括的に制御するＣＰＵ２５と、通信Ｉ／Ｆ２０を介して受信された画像データ３０を保存し、編集（トリミングも含む）のためのプログラム３１を保存する記憶手段であるＨＤＤ２８とを備え、これらの各手段はシステムバス３２に接続されている。
【００１４】
<写真アルバムの作成工程及び動作>
図３に写真アルバムの作成工程及び動作を示す。
まず、この写真アルバム作成システムの構築にあたり、画像取得装置５を葬祭場１００−１〜１００−ｎに設置する。その際、ディジタルカメラ３及び画像取得装置５を写真館２００から葬祭場１００−１〜１００−ｎに無償又は有償で貸与するものとする。
その場合、画像取得装置５を各葬祭場１００−１〜１００−ｎのそれぞれに２台ずつ提供することが好ましい。その理由は、１台をバックアップ用に供するためである。また、葬祭場の写真撮影を担当する職員にはカメラの操作方法や撮影技術の指導を事前に行なうことが好ましい。
【００１５】
また、画像取得装置５での第２記憶メディア４からの画像データの読取り終了後に第２記憶メディア４内の記録画像データを消去するものとし、また、画像データの写真アルバム作成装置７への送信終了後において画像取得装置５のＨＤＤ１８内に保存されている画像データ２９を消去するものとする。好ましくは、上記タイミングで自動的に画像データが消去されるように画像取得装置５を構成する。あるいは葬祭場１００−１〜１００−ｎの業者と写真館２００の業者との間で上記のように消去する旨の契約を事前に交わしておく。その理由は、ＨＤＤ１８に保存された画像データの不正流用の未然防止にある。
【００１６】
次に、図４を参照して、アルバム作成、納品、代金回収に至る一連の工程、その間の画像取得装置５及び写真アルバム作成装置７の動作を説明する。
なお、画像取得装置５の動作はＲＯＭ１７に格納されＲＡＭ１６に展開された動作プログラムとＣＰＵ１５との協働で実行され、同様に写真アルバム作成装置７の動作はＲＯＭ２７に格納されＲＡＭ２６に展開された動作プログラムとＣＰＵ２５との協働で実行されるものであり、以下の説明においてはＣＰＵ１５又は２５に関する詳細な説明の繰り返しは省略する。
【００１７】
また、説明を簡単にするため、葬祭場は１００−１の場合を想定して説明するが、他の葬祭場１００−ｎにおいても同様である。
葬儀に際して、遺族、参列者から持込み写真プリント１及び又は第１記憶メディア２が提供されたものとする（ステップＳ１）。
提供された持込み写真プリント１は、画像取得装置５においてスキャナ１０により読取られ（ステップＳカメラ３）、読取られた画像データはＨＤＤ１８に保存される（ステップＳ４）。
同様に、第１記憶メディア２内の画像データは、第１メディアＩ／Ｆ１１‐１を介して取り込まれ、ＨＤＤ１８に保存される（ステップＳ４）。
【００１８】
一方、撮影を委託された職員は葬儀中の模様を写真館２００から貸与された貸与カメラ３により撮影を行い、第２記憶メディア４に記録する（ステップＳ２）。第２記憶メディア４に記録された画像データは第２メディアＩ／Ｆ１１‐２を介して取り込まれ、ＨＤＤ１８内に格納される（ステップＳ４）。
ＨＤＤ１８内に保存された各画像データは、自動的又は入力キーボード１２からの手動入力操作により、通信Ｉ／Ｆ１９、通信回線６、通信Ｉ／Ｆ２０の経路で写真アルバム作成装置７に送信される（ステップＳ５）。この送信動作は全画像データの送信が終了するまで繰り返される（ステップＳ６）。
送信が終了すると（ステップＳ６、ＹＥＳ）貸与カメラ３に対応する第２記憶メディア４内の画像データが自動又は入力キーボード１２の手動操作で消去される（ステップＳ７）。
【００１９】
なお、遺族又は参列者から提供された第１記憶メディア２内の画像データは消去されない。第２記憶メディア４は画像データが消去された後、再び委託職員に返却され、次の葬儀用に供される。
第１記憶メディア２と第２記憶メディア４との判別は、第１メディアＩ／Ｆ１１‐１、第２メディアＩ／Ｆ１１‐２のいずれのスロットが使用されたかを判別するか、又は各第１記憶メディア２、第２記憶メディア４に記録された識別情報で判断することができる。
【００２０】
次に、ＨＤＤ１８に保存された全ての画像データ２９が消去され（ステップＳ９）、画像取得装置５の動作は終了する。
一方、ステップＳ５で送信された画像データは写真アルバム作成装置７の通信Ｉ／Ｆ２０を介して受信され（ステップＳ１０）、ＨＤＤ２８に保存される。
【００２１】
写真アルバム作成装置７では、画像の編集・トリミングが行われる（ステップＳ１１）。画像の編集・トリミングは、ＨＤＤ２８からＲＡＭ２６展開された編集・トリミングプログラム３１に従って写真館２００内の職員が入力キーボード２１，ポインティングデバイス２２，ディスプレイ２３を用いて例えば対話形式等で実行される。編集・トリミングされた画像データは再びＨＤＤ２８の所定記憶領域に保存される。
【００２２】
写真アルバム作成装置７では、ＨＤＤ２８内に保存された編集・トリミングされた画像データが印刷装置２４によりプリントされ、見本アルバム８の作成が行われる（ステップＳ１２）。見本アルバム８の形式は任意である。
【００２３】
後日、作成された見本アルバム８は写真館２００から葬祭場１００−１の葬祭業者に配送される（ステップＳ１３、１４）。葬祭場１００−１の職員は見本アルバム８を遺族、参列者宅に持参して受注の営業活動を行う（ステップＳ１５）。
【００２４】
その結果、遺族・参列者から注文があった場合（ステップＳ１６）、注文情報は葬祭場１００−１に伝えられ、受け付けられる（ステップＳ１７）。その注文に基づいて葬祭場１００−１から写真館２００側に発注が行なわれ（ステップＳ１８）、葬祭場１００−１側の業務は終了する。
【００２５】
注文を受けた写真館２００では、写真アルバム作成装置７により注文仕様の正式アルバム９が作成される（ステップＳ２０）。大幅な修正があるような場合は、ステップＳ１１と同様に編集・トリミングが再度行なわれる。
【００２６】
完成した正式アルバム９は、写真館２００から一旦葬祭場１００−１に郵送又は宅配等により発送される（ステップＳ２１）。この発送された正式アルバム９を葬祭場１００−１が受領し（ステップＳ２３）、受領した正式アルバム９を葬祭場１００−１の担当者が持参等により注文した遺族・参列者に届けることとなる（ステップＳ２２）。
【００２７】
正式アルバム９を受け取った遺族・参列者が代金を支払い（ステップＳ２６）、この代金を葬祭場１００−１の担当者が収金し（ステップＳ２５）、この代金のうち正式アルバム９の製作に要する費用が葬祭場１００−１から金融機関等を経て写真館２００に入金される（ステップＳ２４）。
【図面の簡単な説明】
【００２８】
【図１】写真アルバム作成システムの概要を示すブロック図である。
【図２】画像データ取得装置の構成例を示すブロック図である。
【図３】アルバム作成装置の構成例を示すブロック図である。
【図４】写真アルバムの作成工程及び各部の動作例を示すラダーチャート図である。
【符号の説明】
【００２９】
１  持込み写真プリント
２  第２記憶媒体
３  貸与カメラ
４  第１記憶媒体
５  画像取得装置
６  通信回線
７  写真アルバム作成装置
８  見本アルバム
９  正本アルバム
１０  スキャナ
１１‐１  第１メディアＩ／Ｆ
１１‐２  第２メディアＩ／Ｆ
１２  入力キーボード
１３  ディスプレイ
１４  システムバス
１５  ＣＰＵ
１６  ＲＡＭ
１７  ＲＯＭ
１８  ＨＤＤ
１９  通信Ｉ／Ｆ
２０  通信Ｉ／Ｆ
２１  入力キーボード
２２  ポインティングデバイス
２３  ディスプレイ
２４  印刷装置
２５  ＣＰＵ
２６  ＲＡＭ
２７  ＲＯＭ
２８  ＨＤＤ
２９  写真画像の保存データ
３０  編集プログラム
１００−１  葬祭場、
１０0−ｎ  葬祭場
２００  写真館
【図１】
2007334482.tif 000003
【図２】
2007334482.tif 000004
【図３】
2007334482.tif 000005
【図４】
2007334482.tif 000006